(57)【要約】【課題】筐体の薄型化、小型化を妨げない携帯端末を提供する。【解決手段】携帯端末１０は、カバー１５およびケース１４を有する第２筐体１２と、カバー１５に設けられる貫通孔２５と、貫通孔２５に挿通可能な固定ボルト２６と、固定ボルト２６の軸部２８が螺合される雌ねじ部３２とを備える。さらに、携帯端末１０は、固定ボルト２６の頭部２７とカバー１５の表面１５Ｂとの間に介装されるＯリング３３と、Ｏリング３３を収容可能に貫通孔２５に沿って設けられた凹部３５と、凹部３５の内周面３７に沿って底部３６に設けられた溝部３８とを備える。【選択図】図２
2013055287.tif 000002
【特許請求の範囲】
【請求項１】
互いに組み合わせられる第１部材および第２部材を有する筐体と、
前記第１部材に設けられる貫通孔と、
前記貫通孔に挿通される固定ボルトと、
前記第２部材に設けられ、前記固定ボルトの軸部が螺合される雌ねじ部と、
前記固定ボルトの頭部と、前記第１部材における前記第２部材とは反対側の表面との間に介装されるＯリングと、
前記第１部材の前記表面における前記貫通孔の縁部に沿って環状に設けられ、前記Ｏリングが収容される凹部と、
前記凹部の底部における前記凹部の内周面に沿って環状に設けられた溝部とを備える携帯端末。
【請求項２】
請求項１に記載の携帯端末であって、
前記固定ボルトの前記軸部が前記貫通孔の内面に当接したときに、前記凹部の凹部断面積と、前記溝部の溝部断面積との合算値が前記ＯリングのＯリング断面積以上となるように、前記溝部が形成されている携帯端末。
【請求項３】
請求項１または請求項２に記載の携帯端末であって、
前記軸部における前記頭部側の基端部に前記頭部に向かって拡径する円錐面が設けられている携帯端末。
【発明の詳細な説明】
【技術分野】
【０００１】
本発明は、筐体に第１部材および第２部材を備え、第１部材および第２部材が固定ボルトで組み付けられ、固定ボルトの頭部および第１部材間にＯリングが介装された携帯端末に関する。
【背景技術】
【０００２】
携帯端末のなかには、筐体を構成する第１部材、第２部材を相互に固定する構造として、第１部材の貫通孔に固定ボルトの軸部を挿通させ、第２部材に設けられた雌ねじ部に軸部を螺合するものが一般に知られている（例えば、特許文献１）。
貫通孔の縁部には凹部が設けられ、この凹部および固定ボルトの頭部間にＯリングが収容される。このＯリングを固定ボルトの頭部で圧縮変形させることにより第１部材および頭部間の防水性が得られる。
【先行技術文献】
【特許文献】
【０００３】
【特許文献１】特開2010-032470号公報（要約、段落0019、図２）
【発明の概要】
【発明が解決しようとする課題】
【０００４】
ところで、特許文献１の筐体を組み付ける際に、加工公差や組付公差等で第１部材、第２部材が固定ボルトの軸部の径方向に沿って相対的に位置ずれすることが考えられる。
第１部材、第２部材が相対的に位置ずれした場合に、固定ボルトの軸部が凹部の一方側に偏り、一方側の凹部において凹部の断面積が小さくなる。
【０００５】
よって、断面積が小さくなる一方側の凹部においてＯリングを収容しきれない虞がある。このため、固定ボルトの頭部と第１部材との間からＯリングの一部がはみ出し、固定ボルトの頭部および第１部材間の防水性が得られ難くなる可能性がある。
【０００６】
そこで、第１部材、第２部材の相対的な位置ずれを想定して、固定ボルトの軸部の径方向に沿って凹部をあらかじめ大きめに形成しておくことが考えられる。
しかし、凹部を大きめに形成した場合、固定ボルトの頭部と第１部材とが接触する面が減少することを防ぐために、固定ボルトの頭部を大径にする必要があり、さらに、筐体における固定ボルトの頭部が収容される凹部の占有空間が大きくなり、そのことが筐体を薄型化、小型化する上での妨げになっていた。
【０００７】
本発明は、前述した課題を解決するためになされたものであり、その目的は、筐体の薄型化、小型化を妨げない携帯端末を提供することにある。
【課題を解決するための手段】
【０００８】
本発明の携帯端末は、互いに組み合わせられる第１部材および第２部材を有する筐体と、前記第１部材に設けられる貫通孔と、前記貫通孔に挿通される固定ボルトと、前記第２部材に設けられ、前記固定ボルトの軸部が螺合される雌ねじ部と、前記固定ボルトの頭部と、前記第１部材における前記第２部材とは反対側の表面との間に介装されるＯリングと、前記第１部材の前記表面における前記貫通孔の縁部に沿って環状に設けられ、前記Ｏリングが収容される凹部と、前記凹部の底部における前記凹部の内周面に沿って環状に設けられた溝部とを備える。
【０００９】
固定ボルトが挿通される貫通孔の縁部に沿って凹部を環状に設け、凹部にＯリングを収容させるようにした。さらに、凹部の底部に内周面に沿って溝部を環状に設けた。
凹部に溝部を設けることによりＯリングを収容可能な空間を確保できる。
【００１０】
よって、第１部材、第２部材が正規の相対位置に対して固定ボルトの径方向に沿ってずれた場合でも溝部にＯリングの一部を収容できる。
これにより、固定ボルトの頭部と第１部材の表面との間からＯリングの一部がはみ出すことを防止でき、頭部および第１部材の表面間において防水性が確実に得られる。
【００１１】
さらに、凹部の底部に溝部を設けたので、凹部が固定ボルトの径方向に大きく広がることを防止できる。すなわち、凹部を固定ボルトの径方向に大きく広げなくても、Ｏリングによる防水性を確保できる。
【００１２】
よって、大径の頭部を有する固定ボルトを採用する必要がなく、さらに、筐体における凹部の占有空間を大きくする必要がない。
これにより、凹部の底部に溝部を設けることにより筐体の薄型化、小型化を妨げることなく防水性を確保できる。
【００１３】
また、本発明の携帯端末は、前記固定ボルトの前記軸部が前記貫通孔の内面に当接したときに、前記凹部の凹部断面積と、前記溝部の溝部断面積との合算値が前記ＯリングのＯリング断面積以上となるように、前記溝部が形成されている。
【００１４】
凹部の凹部断面積と溝部の溝部断面積との合算値をＯリング断面積以上とした。
よって、第１部材および第２部材が固定ボルトの径方向に沿って考え得る最大値でずれた場合でも、固定ボルトの頭部でＯリングを潰した状態において、Ｏリングを凹部および溝部が協働して収容できる。
これにより、第１部材の表面と固定ボルトの頭部との間からＯリングがはみ出すことを防ぐことができ、固定ボルトの頭部および第１部材の表面間において防水性が確実に得られる。
【００１５】
さらに、本発明の携帯端末は、前記軸部における前記頭部側の基端部に前記頭部に向かって拡径する円錐面が設けられている。
【００１６】
軸部の基端部に円錐面を設けることにより、円錐面でＯリングを固定ボルトの径方向に広げることができる。
よって、固定ボルトの頭部でＯリングを潰す際に、固定ボルトの軸部と貫通孔との間の隙間、すなわち軸部の先端部側にＯリングが脱落することを防止できる。
これにより、固定ボルトの頭部および第１部材の表面間において防水性が確実に得られる。
【発明の効果】
【００１７】
本発明の携帯端末によれば、凹部の底部に内周面に沿って溝部を設け、凹部および溝部でＯリングを収容可能な空間を確保することにより、Ｏリングのはみ出しを防いでＯリングによる防水性を確保できる。
さらに、凹部の底部に溝部を設けることにより、凹部を固定ボルトの径方向に大きく広げなくてもＯリングによる防水性を確保できるので、筐体の薄型化、小型化を妨げることがない。
【図面の簡単な説明】
【００１８】
【図１】本発明に係る携帯端末を示す斜視図
【図２】図１のＩ−Ｉ線断面図
【図３】図２の携帯端末の要部から固定ボルトを分解した状態を示す断面図
【図４】本発明に係るカバーおよびケースが正規の状態における凹部および溝部を示す断面図
【図５】本発明に係るカバーおよびケースが正規の相対位置に対してずれた状態を示す断面図
【図６】本発明に係るカバーおよびケースがずれた状態における凹部および溝部を示す断面図
【発明を実施するための形態】
【００１９】
以下、本発明の実施形態に係る携帯端末について図面を参照して説明する。
【００２０】
図１に示すように、本発明の実施形態である携帯端末１０は、略矩形体状に形成された第１筐体１１と、略矩形体状に形成された第２筐体（筐体）１２と、第１筐体１１および第２筐体１２を開閉自在に連結するヒンジ部１３と備えた開閉式の携帯端末である。
【００２１】
この携帯端末１０は、第１筐体１１および第２筐体１２が互いに積層された携帯状態と、第１筐体１１および第２筐体１２が互いに離れた伸長状態とを取り得る。
第１筐体１１のうち、第２筐体１２に対向する面に操作部や通話用発振部等を備えている。
第２筐体１２のうち、第１筐体１１に対向する面に表示部や受信部等を備えている。
【００２２】
第２筐体１２は、略矩形体状に形成されたケース（第２部材）１４と、ケース１４に着脱自在に組合わせ可能なカバー（第１部材）１５と、カバー１５の開口部１６から電池パック１８を収容可能な電池収容部１７とを備えている。
【００２３】
第２筐体１２のカバー１５にカバーヒンジ２１を介して電池蓋２２が開閉自在に設けられ、電池蓋２２を覆う蓋カバー２３が着脱自在に設けられている。
電池蓋２２は、開口部１６を覆うことにより電池収容部１７を閉塞可能な部材である。
蓋カバー２３は、電池蓋２２を覆うことにより電池蓋２２を閉位置に保持可能な部材である。
【００２４】
さらに、図２に示すように、携帯端末１０は、カバー１５に設けられた貫通孔２５と、貫通孔２５に挿通可能な固定ボルト２６と、固定ボルト２６が螺合可能にケース１４に設けられた雌ねじ部３２とを備えている。
加えて、携帯端末１０は、固定ボルト２６の頭部２７で押圧可能なＯリング３３と、Ｏリング３３を収容可能な凹部３５と、凹部３５に設けられた溝部３８とを備えている。
【００２５】
貫通孔２５は、カバー１５においてヒンジ部１３（図１参照）と反対側の一対の角部１５Ａに設けられている。
雌ねじ部３２は、ケース１４のうち貫通孔２５と対応する部位１４Ａに、貫通孔２５に対して同軸上に設けられ、固定ボルト２６の軸部２８（具体的には、雄ねじ部２８Ａ）が螺合される部位である。
【００２６】
図３に示すように、固定ボルト２６は、軸部２８の基端部２８Ｂに設けられた頭部２７と、頭部２７から雌ねじ部３２に向けて突出された軸部２８と、頭部２７側の基端部２８Ｂに設けられた円錐面２９とを有する。
【００２７】
頭部２７は、軸部２８の径方向に張り出され、凹部３５のＯリング３３（図２参照）を押圧可能な部位である。
頭部２７の表面２７Ａに、固定ボルト２６を締め付けるためのドライバが係止可能な係止凹部３９が形成されている。
【００２８】
軸部２８は、基端部２８Ｂが円筒状に形成され、基端部２８Ｂの近傍から先端部２８Ｃまで雄ねじ部２８Ａが形成されている。
雄ねじ部２８Ａが雌ねじ部３２に螺合されることにより、固定ボルト２６でカバー１５がケース１４に組み付けられている。
【００２９】
円錐面２９は、軸部２８における頭部２７側の基端部２８Ｂに設けられ、先端部２８Ｃ側から頭部２７に向かって徐々に拡径することにより逆円錐面状に形成されている。
すなわち、円錐面２９は、軸部２８に対して傾斜角θで形成されている。
軸部２８の基端部２８Ｂに円錐面２９を設けることにより、円錐面２９でＯリング３３を固定ボルト２６の径方向に広げることができる（図２参照）。
【００３０】
よって、図２に示すように、固定ボルト２６の頭部２７でＯリング３３を潰す際に、固定ボルト２６の軸部２８と貫通孔２５との間の隙間４２、すなわち軸部２８の先端部２８Ｃ側にＯリング３３が脱落することを防止できる。
これにより、固定ボルト２６の頭部２７およびカバー１５の表面１５Ｂ間において防水性が確実に得られる。
カバー１５の表面１５Ｂは、カバー１５におけるケース１４とは反対側の表面であり、凹部３５の底部３６、凹部３５の内周面３７および溝部３８を有する。
【００３１】
なお、カバー１５およびケース１４が固定ボルト２６の径方向に沿って考え得る最大値でずれ、軸部２８が貫通孔２５の一方側の内面２５Ａに当接した場合の防水性については図５で詳しく説明する。
【００３２】
Ｏリング３３は、弾性変形可能なゴム製の環状シール材であり、固定ボルト２６の軸部２８に嵌入された状態において、固定ボルト２６の頭部２７とカバー１５の表面１５Ｂ（具体的には、凹部３５の底部３６）との間に介装されている。
【００３３】
図３に示すように、Ｏリング３３は、断面形状が円形で、かつ、断面積（以下、Ｏリング断面積という）がＳ１に形成されている。
Ｏリング３３を固定ボルト２６の頭部２７で押圧することにより、固定ボルト２６の頭部２７およびカバー１５の表面１５Ｂ間において防水性が確保される。
【００３４】
図４に示すように、凹部３５は、カバー１５の表面１５Ｂにおける貫通孔２５の縁部２５Ｂに沿って環状に設けられることにより、Ｏリング３３（図３参照）を収容可能な空間（想像線で示す）を有する。
この凹部３５は、底部３６および内周面３７で形成されている。
底部３６から溝部３８を除去した平坦部でＯリング潰し部３６Ａが形成されている。
【００３５】
Ｏリング潰し部３６Ａは、Ｏリング３３が固定ボルト２６の頭部２７で押圧された状態においてＯリング３３を保持する環状の部位である。
このＯリング潰し部３６Ａは、一例として、幅寸法Ｌ１がＬ１＝０．４５ｍｍに形成されている。
【００３６】
また、図３に示すように、凹部３５の内周面３７とＯリング３３との間の隙間Ｌ２が、一例として、Ｌ２≒０．１５ｍｍに確保されている。
さらに、Ｏリング３３を固定ボルト２６の頭部２７で押圧した状態において（図２参照）、Ｏリング３３の潰し量Ｌ３が、一例として、Ｌ３＝０．１５ｍｍである。
【００３７】
ここで、Ｌ２≧Ｌ３の関係が満たされている。
よって、図２に示すように、カバー１５およびケース１４が正規の組付状態（正規の相対位置）において、固定ボルト２６の頭部２７でＯリング３３が押圧されることにより潰し量Ｌ３（図３参照）だけ潰される。
正規の組付状態とは、カバー１５およびケース１４が固定ボルト２６の径方向にずれていない状態をいう。
【００３８】
このように、Ｌ２≧Ｌ３の関係が満たされることにより、固定ボルト２６の頭部２７でＯリング３３が潰された状態において凹部３５に収容される。
これにより、Ｏリング３３で、固定ボルト２６の頭部２７およびカバー１５の表面１５Ｂ間の防水性が確保される。
【００３９】
また、図５に示すように、カバー１５、ケース１４が正規の相対位置に対して固定ボルト２６の径方向に沿って一方側にずれて、固定ボルト２６の軸部２８が貫通孔２５の一方側の内面２５Ａに当接することが考えられる。
この状態において、図６に示す凹部３５において一方側の凹部断面積（凹部断面積）Ｓ２が小さくなる。
【００４０】
図４に示すように、溝部３８は、凹部３５の底部３６における凹部３５の内周面３７に沿って環状に設けられている（図３も参照）。
凹部３５に溝部３８を設けることにより、Ｏリング３３を収容可能な空間として溝部３８の空間を確保できる。
溝部３８は、溝部断面積がＳ３に形成されている。
【００４１】
溝部３８の溝部断面積Ｓ３は次のように設定される。
すなわち、図６に示すように、軸部２８が貫通孔２５の一方側の内面２５Ａに当接することにより凹部３５の一方側の凹部断面積がＳ２になる。
この状態において、凹部断面積Ｓ２と溝部断面積Ｓ３との合算値がＯリング断面積Ｓ１（図３参照）以上となるように溝部断面積Ｓ３が決められる。
よって、Ｓ２＋Ｓ３≧Ｓ１の関係が成立する。
【００４２】
これにより、図５に示すように、軸部２８が貫通孔２５の一方側の内面２５Ａに当接した場合に、固定ボルト２６の頭部２７でＯリング３３を潰した状態において、Ｏリング３３の一方側の部位３３Ａを凹部３５および溝部３８が協働して収容できる。
【００４３】
従って、カバー１５の表面１５Ｂと固定ボルト２６の頭部２７との間からＯリング３３の一方側の部位３３Ａがはみ出すことを防止できる。
このように、Ｏリング３３の一方側の部位３３Ａのはみ出しを防止することにより、一方側の部位３３Ａで固定ボルト２６の頭部２７およびカバー１５の表面１５Ｂ間の防水性を確保できる。
【００４４】
さらに、図４に示すように、凹部３５の底部３６に溝部３８を設けたので、凹部３５が固定ボルト２６の径方向に大きく広がることを防止できる。
よって、Ｏリング３３による防水性を確保するために、凹部３５を固定ボルト２６の径方向に大きく広げる必要がない。
【００４５】
これにより、大径の頭部を有する固定ボルトを採用する必要がなく、さらに、第２筐体１２における凹部３５の占有空間を大きくする必要がない。
従って、凹部３５の底部３６に溝部３８を設けることにより、第２筐体１２の薄型化、
小型化を妨げることなく防水性を確保できる。
【００４６】
ところで、図５に示すように、カバー１５およびケース１４が固定ボルト２６の径方向に沿って考え得る最大値で一方側にずれた場合、隙間４２（図２参照）のうちの他方の隙間４２Ａが大きくなる。
他方の隙間４２Ａは、固定ボルト２６の軸部２８と貫通孔２５の他方側の内面２５Ｃとの間の隙間である。
【００４７】
他方の隙間４２Ａが大きくなるため、Ｏリング３３の他方側の部位３３Ｂが脱落することが考えられる。
そこで、前述したように、軸部２８の基端部２８Ｂに円錐面２９を設け、円錐面２９でＯリング３３を固定ボルト２６の径方向に広げるようにした。
【００４８】
よって、カバー１５およびケース１４が一方側にずれた状態において、固定ボルト２６の頭部２７でＯリング３３を潰す際に、他方の隙間４２Ａから軸部２８の先端部２８Ｃ側にＯリング３３の他方側の部位３３Ｂが脱落することを防止できる。
これにより、Ｏリング３３の他方側の部位３３Ｂで、固定ボルト２６の頭部２７およびカバー１５の表面１５Ｂ間の防水性を確保できる。
【００４９】
なお、本発明に係る携帯端末は、前述した実施形態に限定されるものではなく適宜変更、改良等が可能である。
例えば、実施形態では、Ｏリング潰し部３６Ａの幅寸法Ｌ１をＬ１＝０．４５ｍｍ、凹部３５の内周面３７とＯリング３３との間の隙間Ｌ２をＬ２≒０．１５ｍｍ、Ｏリング３３の潰し量Ｌ３をＬ３＝０．１５ｍｍとしたが、各寸法は適宜変更が可能である。
【００５０】
また、実施形態で使用した携帯端末、第２筐体、ケース、カバー、貫通孔、固定ボルト、円錐面、雌ねじ部、Ｏリング、凹部および溝部等の形状や構成は例示したものに限定するものではなく適宜変更が可能である。
【産業上の利用可能性】
【００５１】
本発明は、筐体に第１部材および第２部材を備え、第１部材および第２部材を組み付ける固定ボルトの頭部と、第１部材との間にＯリングが介装された携帯端末への適用に好適である。
【符号の説明】
【００５２】
１０  携帯端末
１２  第２筐体（筐体）
１４  ケース（第２部材）
１５  カバー（第１部材）
１５Ｂ  カバーの表面
２５  貫通孔
２５Ａ  貫通孔の一方側の内面（内面）
２５Ｂ  貫通孔の縁部
２６  固定ボルト
２７  頭部
２８  軸部
２８Ｂ  頭部側の基端部
２９  円錐面
３２  雌ねじ部
３３  Ｏリング
３５  凹部
３６  凹部の底部
３７  凹部の内周面
３８  溝部
Ｓ１  Ｏリング断面積
Ｓ２  一方側の凹部断面積（凹部断面積）
Ｓ３  溝部断面積
【図１】
2013055287.tif 000003
【図２】
2013055287.tif 000004
【図３】
2013055287.tif 000005
【図４】
2013055287.tif 000006
【図５】
2013055287.tif 000007
【図６】
2013055287.tif 000008